【手続補正書】
【提出日】平成17年4月12日(2005.4.12)
【手続補正１】
【補正対象書類名】明細書
【補正対象項目名】特許請求の範囲
【補正方法】変更
【補正の内容】
【特許請求の範囲】
【請求項１】
電子情報が記録された記録媒体を結合し、前記電子情報に基づく情報を表示せしめる表示装置本体と、
指の動きを検出し該指の動きに基づいた検出出力を出力するセンサと、
該センサの検出出力に基づいて前記表示装置への制御指令を形成し該制御指令をワイヤレス信号で送信せしめる近接制御装置と、を有し、
前記表示装置本体は、前記近接制御装置が送信する前記制御指令を受信する受信回路と、前記制御指令に基づいて前記情報の表示制御を行う表示制御手段とを有することを特徴とする表示装置。
【請求項２】
前記近接制御装置は前記表示装置本体に表示される表示情報をスクロールする指令を形成し、前記表示装置本体に送信することを特徴とする請求項１記載の表示装置。
【請求項３】
前記センサは指の動きに基づいてセンサに設けられた回転部材の回転と回転方向を検出し、回転検出によりスクロールを指示すると共に、前記近接制御装置が前記センサの回転方向検出によりスクロールの上下方向を区別して指示することを特徴とする請求項２記載の表示装置。
【請求項４】
前記近接制御装置の指令により前記表示装置本体の表示情報が移動する表示スクロール量の単位移動量を予め設定する設定手段を前記表示装置本体に設けたことを特徴とする請求項２記載の表示装置。
【請求項５】
前記表示スクロールの単位移動量は前記表示装置本体の全画面分であるページ単位のスクロール量を含むことを特徴とする請求項４記載の表示装置。
【請求項６】
前記近接制御装置が前記表示装置本体の表示位置情報を記憶する電子栞の設定を指令し、前記表示装置に送信することを特徴とする請求項１記載の表示装置。
【請求項７】
電子情報が記録された記録媒体を結合し、前記電子情報に基づく情報を表示せしめる表示装置本体と、
指の動きを検出し該指の動きに基づいた検出出力を出力するセンサと、
該センサの検出出力に基づいて高周波キャリアで構成されるパルス信号と該パルス信号のパルス間隔で区別される指令を形成し該指令をワイヤレス信号で送信せしめる近接制御装置と、を有し、
前記表示装置本体は、前記近接制御装置が送信する前記指令を受信する受信回路と、前記制御指令に基づいて前記情報の表示制御を行う表示制御手段とを有することを特徴とする表示装置。
【請求項８】
前記近接制御装置は前記表示装置本体に表示される表示情報をスクロールする指令と前記表示装置本体の表示位置情報を記憶する電子栞の設定を指令し、前記表示装置本体に送信することを特徴とする請求項７記載の表示装置。
【請求項９】
前記表示装置本体が受信可能な範囲は概ね５０ｃｍ以下とする送信レベルに前記近接制御装置のワイヤレス信号出力が設定されたことを特徴とする請求項７記載の表示装置。
【請求項１０】
指の動きを検出し、該指の動きに基づいた検出出力を出力する第１のステップと、
前記検出出力に基づいて表示装置への制御指令を形成し該制御指令をワイヤレス信号で送信する第２のステップと、
前記制御指令を受信し、該制御指令に基づいて記録媒体に記録された電子情報に基づく情報の表示制御を行う第３のステップと、
を有することを特徴とする表示方法。
【手続補正２】
【補正対象書類名】明細書
【補正対象項目名】０００９
【補正方法】変更
【補正の内容】
【０００９】
本発明の目的は、上記に鑑み、電子情報を読むための表示の制御に対し読者がストレスを強いられず、紙の本のように場所を選ばず長時間読むことが出来る方法及び装置を提供することにある。
【手続補正３】
【補正対象書類名】明細書
【補正対象項目名】００１０
【補正方法】変更
【補正の内容】
【００１０】
【課題を解決するための手段】
上記の目的を実現するために、本発明（表示装置および表示方法）は読者が表示装置で電子情報を読むに当たって全く苦痛にならず自然に行えるものとして指の動きを用い、指に保持された近接制御装置がその指令をワイヤレス信号として近接した表示装置に送信して表示の制御をさせるものである。
請求項２に記載の発明（および対応する表示方法）は、それにより最も操作頻度が多いスクロール動作を行わせるものである。
【手続補正４】
【補正対象書類名】明細書
【補正対象項目名】００１１
【補正方法】変更
【補正の内容】
【００１１】
請求項３に記載の発明（および対応する表示方法）は、指と指のこすり合わせを回転方向として検出するセンサを用いてスクロール動作における上下方向への移動を操作するものである。また、請求項４、５に記載の発明（およびこれらに対応する表示方法）は、上記スクロール時におけるスクロール量を予め選択設定する構成を有するものである。
【手続補正５】
【補正対象書類名】明細書
【補正対象項目名】００１２
【補正方法】変更
【補正の内容】
【００１２】
請求項６に記載の発明（および対応する表示方法）は、電子情報を読むに際して重要かつ、電子化での効用が大きい電子栞の設定指示機能を本発明の近接制御装置に包含している。読者は表示装置を閉じて再度読み始める場合も、電子栞から位置情報を選択することによって容易に前回からの続きや、電子栞のその他の設定位置にアクセスできる。近接制御装置は、簡単な指の動きでそのときに表示されている表示位置をワイヤレスで表示装置送信し電子栞位置として記憶させるものである。
【手続補正６】
【補正対象書類名】明細書
【補正対象項目名】００１３
【補正方法】変更
【補正の内容】
【００１３】
請求項７に記載の発明（および対応する表示方法）は、近接制御装置のワイヤレス信号形態をより簡便な構成で提供するものであり、高周波キャリアによって成る一定時間のパルス信号を用いている。
また、請求項８、９に記載の発明（および対応する表示方法）は、上記請求項７に記載の構成においてのスクロール操作と電子栞設定操作を表示装置に実現させる構成であり、本発明の目的が非常に近接した装置間のみを対象としたワイヤレス方式で良いため、送受信機の構成の容易化、消費電流の低減、他のワイヤレス装置への干渉防止のために伝達範囲を限定したものである。
【手続補正７】
【補正対象書類名】明細書
【補正対象項目名】００１４
【補正方法】変更
【補正の内容】
【００１４】
【発明の実施の形態】
以下に本発明の実施例を図面に基づいて詳述する。図１は本発明の表示装置本体及び近接制御装置の実施例を示す全体ブロック図である。１から１１とメモリインタフェース（ＭＩＦ）１４及びワイヤレスインタフェース（ＷＬ−ＩＦ）１６が表示装置本体を構成し、１５が電子情報を記録された記録媒体であるＩＣカード、１５が近接制御装置（ＷＬ−ＣＯＮＴ）である。１３はフラッシュメモリ等の不揮発メモリが内蔵され、書籍情報等のコンテンツをパソコン等のネット機器を介して通信網よりダウンロードさせる形態が一般的である。表示装置はメモリインタフェース１４にＩＣカードが結合されることによりその情報を表示する機能を持つ。そして表示装置の制御操作機能の一部をワイヤレスによって近接制御装置で制御するようにシステムが構成されている。
【手続補正８】
【補正対象書類名】明細書
【補正対象項目名】００１５
【補正方法】変更
【補正の内容】
【００１５】
表示装置本体の構成はＣＰＵである１とＣＰＵを中心に構成するバスライン２、プログラムが格納されたＲＯＭである３、ワーク用ＲＡＭである４、データを継続的に保存するＳＲＡＭである５、タイミング発生と時刻情報を形成するタイマ７、電池６（ＢＡＴＴ）、表示用データの一時的メモリである８、表示パネル１０と表示パネルのコントローラ９（ＤＣＯＮＴ）、キーボード１１（ＫＢ）、キーボードのコントローラ１２（ＫＩＦ）及び上述した１４，１６より構成されている。電池８は電源スイッチにより電源供給を行うが、５と７には継続的な情報を保存するために常時通電がされている。
【手続補正９】
【補正対象書類名】明細書
【補正対象項目名】００２１
【補正方法】変更
【補正の内容】
【００２１】
２８が近接制御装置で、スクロール指示入力部２９、電子栞指示入力部３０の入力手段を有している。近接制御手段２８は一実施例として指３２に挿入する形態を図示しており、親指３１との間で操作者に付随するものとして入力手段への入力を行う。スクロール指示入力部２９に対して親指が接触し回転される回転方向によってスクロール方向が決定され、回転量によってスクロールが行われる。上記動作は、指と指の間で操作されるが、３１と、３２が表示装置本体を挟み持つ場合も表示装置本体と指３２間の動作でもスクロール動作が可能となる。そしてこの場合、表示装置本体の何処を持つかといったことには全く関与されない。
【手続補正１０】
【補正対象書類名】明細書
【補正対象項目名】００２３
【補正方法】変更
【補正の内容】
【００２３】
キーボード上のキー２３、２４は特に近接制御装置の操作を補助するキーであって、キー２３はスクロール量選択キーである。キー２３は入力部２９の一定回転量を１単位としての表示情報の送りを、例えば１行、１０行、画面半分、全画面である１ページ等の送りに予め操作者が設定できるようにする。また、キー２４は入力部３０によって選択された複数の電子栞の選択呼び出しキーで、電子栞の情報である、１）電子栞位置ページ、２）電子栞位置を判別するためへのページの先頭行等の部分情報、３）電子栞設定時の日時といった一連の情報を呼び出して表示する。操作者はこれにより表示装置の電源をオンしての再度の読み出し開始や、別ページへジャンプしての電子栞設定場所からの読みを続けることができる。